(57)【特許請求の範囲】
【請求項１】
内部にポンプ１０を備えた容器体１の開口端２へ、案内筒１５１を立設させた装着キャップ１５０を装着させ、前記ポンプ１０内から起立して前記案内筒１５１を挿通する上下動部材４０に、ノズル１００ａを前方突設する押下げヘッド１００を取り付け、該押下げヘッド１００から垂下するカバー筒１０３内面の一部を前記案内筒１５１の一部１５１ａへ水密かつ摺動自在に嵌合させることで、前記カバー筒１０３と前記案内筒１５１との隙間を介して前記ポンプ１０内へ水が入ることを防止可能に設け、
前記押下げヘッド１００の押下げで、前記ノズル１００ａを介して吐出する容器体内容物を掌Ｐ上へ取出し可能に設けると共に、前記カバー筒１０３内面と前記案内筒１５１との間に隙間が生じて外気がポンプ１０内へ流入可能に設けた吐出器において、
前記カバー筒１０３下端の角部を切除することで接触部１０４ｂに形成し、前記押下げヘッド１００の押下げ時に、前記カバー筒１０３下端と前記装着キャップ１５０との間に位置した掌Ｐの端縁に前記接触部１０４ｂが接触可能に設けたことを特徴とする吐出器。
【請求項２】
内部にポンプ１０を備えた容器体１の開口端２へ、案内筒１５１を立設させた装着キャップ１５０を装着させ、前記ポンプ１０内から起立して前記案内筒１５１を挿通する上下動部材４０に、ノズル１００ａを前方突設する押下げヘッド１００を取り付け、該押下げヘッド１００から垂下するカバー筒１０３内面の一部を前記案内筒１５１の一部１５１ａへ水密かつ摺動自在に嵌合させることで、前記カバー筒１０３と前記案内筒１５１との隙間を介して前記ポンプ１０内へ水が入ることを防止可能に設け、
前記押下げヘッド１００の押下げで、前記ノズル１００ａを介して吐出する容器体内容物を掌Ｐ上へ取出し可能に設けると共に、前記カバー筒１０３内面と前記案内筒１５１との間に隙間が生じて外気がポンプ１０内へ流入可能に設けた吐出器において、
前記カバー筒下端の角部を丸めることで接触部に形成し、前記押下げヘッドの押下げ時に、前記カバー筒下端と前記装着キャップ１５０との間に位置した掌Ｐの端縁に前記接触部が接触可能に設けたことを特徴とする吐出器。
【請求項３】
前記カバー筒１０３の下部を下方小径のテーパ筒部１０４ｂに形成して前記接触部に形成すると共に、前記案内筒１５１の一部を環状突部１５１ａで構成し、該テーパ筒部１０４ｂ下端を前記案内筒１５１の環状突部１５１ａへ水密かつ摺動自在に嵌合させたことを特徴とする請求項１又は２記載の吐出器。
【請求項４】
前記テーパ筒部１０４ｂ外面を外方へ凸の弯曲状に形成したことを特徴とする請求項３記載の吐出器。
【請求項５】
前記カバー筒１０３の下部を、該カバー筒１０３と前記案内筒１５１との隙間を介して前記ポンプ１０内へ水が入ることを防止可能な別体の防水リング１０４で構成したことを特徴とする請求項１から４のいずれか１項記載の吐出器。
【請求項６】
前記防水リング１０４を柔軟性を有する材質で形成したことを特徴とする請求項５記載の吐出器。
【請求項７】
前記ポンプ１０は、前記容器体１内に収納された液体加圧用の小径の第１シリンダ部２４と、該第1シリンダ部上端から起立する大径の空気圧縮用の第２シリンダ部２２とを備え、かつ前記上下動部材４０を第１および第２シリンダ部２４、２２内へ挿入させ、前記押下げヘッド１００を介して上下動部材４０を押下げることで、第１シリンダ部２４内の第１ピストン５０が下降して、該第１シリンダ部２４内の液体を加圧すると共に、第２シリンダ部２２内の第２ピストン６０が下降して空気を圧縮することにより、第１シリンダ部２４内の加圧液体と第２シリンダ部２２内の圧縮空気とを気液混合室４６内へ送り出すことで泡を形成して吐出可能に設けたことを特徴とする請求項１から６のいずれか１項記載の吐出器。
【発明の詳細な説明】
【技術分野】
【０００１】
本発明は、ノズルを備えた押下げヘッドの押下げで容器体内容物を吐出可能な吐出容器に関する。
【背景技術】
【０００２】
容器体内のポンプから起立する上下動部材上端の押下げヘッドからカバー筒を垂下させると共に、容器体天面から上下動部材を囲む案内筒を起立させ、該案内筒上端外面へカバー筒下端を隙間を介して上下動自在に嵌合させた吐出容器が従来技術として知られている。
【先行技術文献】
【特許文献】
【０００３】
【特許文献１】特開２００７−５０３２３号公報
【発明の概要】
【発明が解決しようとする課題】
【０００４】
しかしながら、従来技術は、カバー筒下端と容器体天面との間の案内筒部分へ上向きにした掌を近接させて、押下げヘッドを押下げることで内容物を掌上に取り出す際に、掌の端縁がカバー筒下端と容器体天面との間に挟持されることが往々にしてあるが、押下げヘッドの押下げ力が強い場合には、痛みが伴うという不都合があった。
【０００５】
本発明は、上記課題を解決するためになされたもので、掌の端縁がカバー筒下端と容器体天面との間に挟持されても上記不都合が生じない吐出容器を提供することを目的とする。
【課題を解決するための手段】
【０００６】
上記課題を解決するために、本発明は、内部にポンプ１０を備えた容器体１の開口端２へ、案内筒１５１を立設させた装着キャップ１５０を装着させ、前記ポンプ１０内から起立して前記案内筒１５１を挿通する上下動部材４０に、ノズル１００ａを前方突設する押下げヘッド１００を取り付け、該押下げヘッド１００から垂下するカバー筒１０３内面の一部を前記案内筒１５１の一部１５１ａへ水密かつ摺動自在に嵌合させることで、前記カバー筒１０３と前記案内筒１５１との隙間を介して前記ポンプ１０内へ水が入ることを防止可能に設け、
前記押下げヘッド１００の押下げで、前記ノズル１００ａを介して吐出する容器体内容物を掌Ｐ上へ取出し可能に設けると共に、前記カバー筒１０３内面と前記案内筒１５１との間に隙間が生じて外気がポンプ１０内へ流入可能に設けた吐出器において、
前記カバー筒１０３下端の角部を切除することで接触部１０４ｂに形成し、前記押下げヘッド１００の押下げ時に、前記カバー筒１０３下端と前記装着キャップ１５０との間に位置した掌Ｐの端縁に前記接触部１０４ｂが接触可能に設けたことを特徴とする。
【０００７】
また、本発明は、内部にポンプ１０を備えた容器体１の開口端２へ、案内筒１５１を立設させた装着キャップ１５０を装着させ、前記ポンプ１０内から起立して前記案内筒１５１を挿通する上下動部材４０に、ノズル１００ａを前方突設する押下げヘッド１００を取り付け、該押下げヘッド１００から垂下するカバー筒１０３内面の一部を前記案内筒１５１の一部１５１ａへ水密かつ摺動自在に嵌合させることで、前記カバー筒１０３と前記案内筒１５１との隙間を介して前記ポンプ１０内へ水が入ることを防止可能に設け、
前記押下げヘッド１００の押下げで、前記ノズル１００ａを介して吐出する容器体内容物を掌Ｐ上へ取出し可能に設けると共に、前記カバー筒１０３内面と前記案内筒１５１との間に隙間が生じて外気がポンプ１０内へ流入可能に設けた吐出器において、
前記カバー筒下端の角部を丸めることで接触部に形成し、前記押下げヘッドの押下げ時に、前記カバー筒下端と前記装着キャップ１５０との間に位置した掌Ｐの端縁に前記接触部が接触可能に設けたことを特徴とする。
【０００８】
さらに、本発明は、前記カバー筒１０３の下部を下方小径のテーパ筒部１０４ｂに形成して前記接触部に形成すると共に、前記案内筒１５１の一部を環状突部１５１ａで構成し、該テーパ筒部１０４ｂ下端を前記案内筒１５１の環状突部１５１ａへ水密かつ摺動自在に嵌合させたことを特徴とする。
【０００９】
さらに、本発明は、前記テーパ筒部１０４ｂ外面を外方へ凸の弯曲状に形成したことを特徴とする。
【００１０】
さらに、本発明は、前記カバー筒１０３の下部を、該カバー筒１０３と前記案内筒１５１との隙間を介して前記ポンプ１０内へ水が入ることを防止可能な別体の防水リング１０４で構成したことを特徴とする。
【００１１】
さらに、本発明は、前記防水リング１０４を柔軟性を有する材質で形成したことを特徴とする。
【００１２】
さらに、本発明は、前記ポンプ１０は、前記容器体１内に収納された液体加圧用の小径の第１シリンダ部２４と、該第1シリンダ部上端から起立する大径の空気圧縮用の第２シリンダ部２２とを備え、かつ前記上下動部材４０を第１および第２シリンダ部２４、２２内へ挿入させ、前記押下げヘッド１００を介して上下動部材４０を押下げることで、第１シリンダ部２４内の第１ピストン５０が下降して、該第１シリンダ部２４内の液体を加圧すると共に、第２シリンダ部２２内の第２ピストン６０が下降して空気を圧縮することにより、第１シリンダ部２４内の加圧液体と第２シリンダ部２２内の圧縮空気とを気液混合室４６内へ送り出すことで泡を形成して吐出可能に設けたことを特徴とする。
【発明の効果】
【００１３】
本発明は、カバー筒１０３下端の角部を切除ないし丸めることで接触部に形成したので、掌がカバー筒下端と装着キャップ１５０との間に挟持されることがあっても痛みを伴うことがない。
【００１４】
また、本発明は、カバー筒１０３の下部を下方小径のテーパ筒部１０４ｂに形成したので、接触部の掌に対する接触面積をより大にすることができ、したがって、掌がカバー筒１０３下端と装着キャップ１５０との間に挟持されることがあってもなんらの不都合も生じない。
【００１５】
さらに、本発明は、カバー筒１０３の下部を、カバー筒とは別体の防水リング１０４で構成したので、接触部の形状および材質の選択の自由度が増大する。
【００１６】
さらに、本発明は、ポンプとして泡を吐出させるものでは、カバー筒１０３と案内筒１５１との隙間を介してポンプ内へ水が入ることが防止されるため、気液混合室内での圧縮空気と加圧液体との混合比率が常に一定に保持されることとなり、したがって、泡のきめに変動が生じることがない。
【００１７】
さらに、本発明は、防水リング１０４を柔軟性を有する材質で形成したので、接触部のシール性を向上させることができる。
【図面の簡単な説明】
【００１８】
【図１】本発明に係る吐出容器の一部側断面図である。
【図２】同容器の正面図である。
【図３】作用説明図である。
【図４】他の実施形態を示す図１相当図である。
【発明を実施するための形態】
【００１９】
以下、本発明の実施の形態について、図面を参照しながら詳細に説明する。
【００２０】
まず、本発明が適用される吐出器の一例である泡吐出器について説明する。
泡吐出器は、容器体１の開口端を構成する口頸部２にポンプ１０を備えている。容器体１には、例えば、洗顔液のように発泡性を有する液体が収容される。
【００２１】
ポンプ１０は、シリンダ部材２０と、液吸入弁３０と、上下動部材４０と、第１ピストン５０と、第２ピストン６０と、液吐出弁７０と、押下げヘッド１００と、発泡ユニット１３０と、装着キャップ１５０とを備えている。
【００２２】
シリンダ部材２０は内部を空気室とする円筒状の大径シリンダ部（空気用シリンダ）２２を備え、内部を液室とする円筒状の小径シリンダ部（液用シリンダ）２４が大径シリンダ部２２の底部から同心状に下方へ垂設している。
【００２３】
このシリンダ部材２０は、口頸部２から大径シリンダ部２２と小径シリンダ部２４とを容器体１内に挿入させ、口頸部２へ螺合させる装着キャップ１５０によって容器体１に固定されている。
【００２４】
シリンダ部材２０の下端には吸い上げパイプ２０１が連結されており、この吸い上げパイプ２０１の下端は容器体１の底部まで延びている。
【００２５】
装着キャップ１５０天面の内向きフランジ状頂壁内周には案内筒１５１が立設されていて、この案内筒１５１を挿通する上下動部材４０の上端部にノズル１００ａを前方突設する押下げヘッド１００を装着させている。上下動部材４０の内部には発泡ユニット１３０、液吐出弁７０が設けられており、上下動部材４０の外周部には大径シリンダ部２２の内周面を気密に摺動する第２ピストン６０が取り付けられている。
【００２６】
上下動部材４０の下部には小径シリンダ部２４の内周面を液密に摺動する第１ピストン５０が連結されており、第１ピストン５０の下方には、上下動部材４０及び第１ピストン５０に連繋して動作してシリンダ部材２０と容器体１との連通を遮蔽可能な液吸入弁３０が配されている。
【００２７】
以下、これらについてさらに詳述する。シリンダ部材２０の小径シリンダ部２４内には、棒状の液吸入弁３０とコイルスプリング３９と第１ピストン５０とが収納されている。液吸入弁３０の下端部は、小径シリンダ部２４の下端に形成された下方小径のテーパ面からなる弁座に着座及び離反可能に形成されている。また、液吸入弁３０の上端部は上方へ向け拡径するテーパ筒状に形成されている。
【００２８】
第１ピストン５０は上下を開口させた中空筒状をなし、その下部は小径シリンダ部２４の内周面を液密に摺動するシール部を形成している。液吸入弁３０は第１ピストン５０の上部開口から上方に突出し、第１ピストン５０の上部開口を開閉する。
【００２９】
第１ピストン５０内には、液吸入弁３０が第１ピストン５０の内周面との間に隙間を介して挿入されている。コイルスプリング３９は、シリンダ部材２０底部と第１ピストン５０との間に設けられ、第１ピストン５０を上方に付勢している。
【００３０】
上下動部材４０の内側には環状の弁座が形成され、弁座の上方部分は気液混合室４６に形成されており、該混合室内に弁座へ着座及び離反可能な球形の液吐出弁７０が設けられている。
【００３１】
本発明では、押下げヘッド１００は、頂壁１０１下面からノズル１００aを前方突設するヘッド本体１０２と、頂壁１０１から垂下するカバー筒１０３とを備えると共に、頂壁１０１下面から上記構成に係る上下動部材４０を垂下させている。
【００３２】
図１に示すように、カバー筒１０３の下端へ防水リング１０４を嵌合させるとともに、案内筒１５１の上端部外面に環状突部１５１aを周設して、この環状突部へ防水リング１０４を水密かつ上下動自在に嵌合させている。防水リング１０４はカバー筒１０３と案内筒１５１との隙間を介してポンプ内へ水が入ることを防止するもので柔軟性を有する材質で形成するのが好ましい。
【００３３】
より詳細には、防水リング１０４はその周壁上部外面を小外径部１０４ａに形成して、該小外径部をカバー筒１０３内へ嵌合させると共に、周壁下部外面を下方小外径のテーパ筒部１０４ｂに形成し、さらにこのテーパ筒部外面を外方へ凸の弯曲状に形成して掌Ｐへの接触部となすと共に、防水リング１０４周壁の下端部内面を下方小内径のテーパ筒部１０４ｃに形成して、該テーパ筒部下端を案内筒１５１の環状突部１５１aへ水密かつ上下動自在に嵌合させている。
【００３４】
上記ではテーパ筒部１０４ｂの断面外形を外方へ凸の円弧状に形成したが、円弧状にすることなく斜め上へ傾斜する直線状に形成することも可能である。この場合にはその傾斜角度は図３に示すように、カバー筒１０３と装着キャップ１５０との間の案内筒１５１部分へ近接させた掌Ｐを案内筒１５１から離間させる方向へ押下げヘッド１００の押下げ力が働くような角度とする。
【００３５】
図１および図３では、防水リング１０４はカバー筒１０３と別体に形成されているが、図４に示すように、防水リング１０４はカバー筒１０３と一体に形成することも可能である。この場合には、図１と同様にカバー筒１０３の下部外面を下方小外径のテーパ筒部１０４ｂに形成し、さらにこのテーパ筒部外面を外方へ凸の弯曲状に形成して掌への接触部となすと共に、カバー筒１０３の下端部内面を下方小内径のテーパ筒部１０４ｃに形成して、該テーパ筒部下端を案内筒１５１の環状突部１５１aへ水密かつ上下動自在に嵌合させる。
【００３６】
上記ではテーパ筒部１０４ｂは、断面外形が外方へ凸の円弧状か、または斜め上へ傾斜する直線状に形成されているが、これに限らず、カバー筒１０３の下端部または防水リング１０４の下端部を単に丸めることにより形成することも可能である。要するに、カバー筒１０３下端の角部を切除するか、またはカバー筒下端の角部を丸めることで接触部に形成し、掌Ｐの端縁が、図３に示すようにカバー筒１０３と装着キャップ１５０との間に挟まれることがあっても掌Ｐに痛みが感じることがないような形状であれば図面に示すものに限定されない。なお、カバー筒１０４の角部とは、外周面と下端面との境界部を意味する。
【００３７】
次に本実施形態の作用について説明する。図１は押下げヘッド１００を押し下げる前の状態であり、押下げヘッド１００は上限に位置している。
【００３８】
この状態から押下げヘッド１００を押し下げていくと、第１ピストン５０によって加圧された小径シリンダ部２４内の液体は、第１ピストン５０の上部開口を通って、液吐出弁７０を押し上げて気液混合室４６内へ流入する。
【００３９】
一方、大径シリンダ部２２内の空気は、上下動部材４０に設けた空気路を介して気液混合室４６内に流入する。こうして気液混合室４６内で液体と空気は合流し混合されて、発泡ユニット１３０内に送られる。発泡ユニット１３０を通過する際に液体は発泡しノズル１００ａから吐出する。
【００４０】
押下げヘッド１００から手を離すと、小径シリンダ部２４内の液圧、及び、大径シリンダ部２２内の空気圧は下がり、液吐出弁７０が着座し、コイルスプリング３９の弾性によって第１ピストン５０、上下動部材４０、押下げヘッド１００が上方へ押し上げられる。
【００４１】
図１の状態において、本発明では、カバー筒１０３下端へ防水リング１０４が嵌合されているから、カバー筒１０３と案内筒１５１との隙間を介してポンプ内へ水が浸入することが防止される。容器体内容物を取り出すには掌Ｐを上向きにしてカバー筒１０３と装着キャップ１５０との間の案内筒１５１部分へ近接させて押下げヘッド１００を押下げればよい。これにより通常の場合には、何等の支障なく掌Ｐへ内容物が吐出されるが、場合によっては掌Ｐの端縁が、図３に示すようにカバー筒１０３と装着キャップ１５０との間に挟まれることがある。
【００４２】
この場合、カバー筒１０３下端が角部として尖っている場合には、掌Ｐに多少の痛みを感じるが、本発明では、カバー筒１０３下端は角部が切除されるか、丸められているため、このような不都合が生じることがない。
【００４３】
なお、図１、４において、２００はカバー筒１０３と装着キャップ１５０との間の案内筒１５１部分外面へ着脱自在に嵌合可能な押下げ防止部材である。
【００４４】
上記では本発明を泡吐出器に適用した例について説明したが、これに限らず液体吐出器等他の種類の吐出器にも適用可能である。
【産業上の利用可能性】
【００４５】
本発明は、ノズルを備えた押下げヘッドの押下げで容器体内容物を吐出可能な吐出容器の分野に利用することができる。
【符号の説明】
【００４６】
１  容器体
１０  ポンプ
３０  液吸入弁
４０  上下動部材
４６  気液混合室
５０  第１ピストン
６０  第２ピストン
１００  押下げヘッド
１０３  カバー筒
１０４  防水リング
１０４ｂ  テーパ筒部(接触部)
１５０  装着キャップ
１５１  案内筒
１５１a  環状突部
【図１】
0005467580.tif 000002
【図２】
0005467580.tif 000003
【図３】
0005467580.tif 000004
【図４】
0005467580.tif 000005